(57)【要約】【課題】各種の契約行為におけるペーパーレス化を図りつつ、取得した個人情報を確実に保護できる携帯情報端末を提供する。【解決手段】本発明に係る携帯情報端末１００は、少なくとも一方が透明な一対の電極部の間に封入され、電界が与えられることによって何れかの電極に向けて移動する表示媒体を用いた電子ペーパーモジュールを備える。携帯情報端末１００は、契約者の個人情報と契約書の内容を含む画像とを合わせた合成画像を電子ペーパーモジュールに表示する。携帯情報端末１００は、当該合成画像を電子ペーパーモジュールに表示させる電圧を一対の電極部に印加次第、当該個人情報を消去する。【選択図】図５
2011209777.tif 000002
【特許請求の範囲】
【請求項１】
通信ネットワークを介してサーバから画像データを取得する画像データ取得部と、
少なくとも一方が透明な一対の電極部の間に封入され、電界が与えられることによって何れかの電極に向けて移動する表示媒体を用いた情報表示部と、
前記一対の電極部に印加される電圧を制御し、前記画像データ取得部によって取得された前記画像データに基づく画像を前記情報表示部に表示させる表示制御部と、
情報入力部を介して個人情報を取得する個人情報取得部と
を備え、
前記表示制御部は、
前記個人情報取得部によって取得された前記個人情報と前記画像とを合わせた合成画像を前記情報表示部に表示させ、
前記合成画像を前記情報表示部に表示させる電圧を前記一対の電極部に印加次第、前記個人情報を消去する携帯情報端末。
【請求項２】
前記表示制御部は、
前記個人情報取得部によって取得された前記個人情報を、前記通信ネットワークを介してサーバに送信し、
前記個人情報の前記サーバへの送信が完了次第、前記個人情報を消去する請求項１に記載の携帯情報端末。
【請求項３】
前記表示制御部は、
前記個人情報を揮発性メモリに記憶し、
前記揮発性メモリに記憶された前記個人情報を消去する請求項１または２に記載の携帯情報端末。
【請求項４】
前記表示制御部は、前記画像データを前記揮発性メモリに記憶し、前記揮発性メモリに記憶された前記画像データを前記個人情報とともに消去する請求項３に記載の携帯情報端末。
【発明の詳細な説明】
【技術分野】
【０００１】
本発明は、各種契約などにおけるペーパーレス化を図る携帯情報端末に関する。
【背景技術】
【０００２】
近年、紙に必要事項が印刷された従来の契約書を用いた契約に代えて、携帯情報端末を用いた契約によるペーパーレス化が進んでいる。このような携帯情報端末を用いた契約をする場合において、契約に係る手続を簡易化するシステムが提案されている（例えば、特許文献１）。
【０００３】
このシステムでは、携帯情報端末は、顧客管理サーバに格納された個人情報（氏名、年齢、住所など）のうち、契約に必要な情報を取得する。取得した個人情報がユーザ（契約者）によって認証されると、商品やサービスを提供する店舗側の装置（課金サーバなど）に当該個人情報が送信される。これにより、ユーザは、携帯情報端末を用いた契約書の作成の都度、個人情報を入力する手間が省ける。
【先行技術文献】
【特許文献】
【０００４】
【特許文献１】特許第４４２１６２１号公報（第６−７頁、第６図）
【発明の概要】
【発明が解決しようとする課題】
【０００５】
上述した従来のシステムによれば、各種契約におけるペーパーレス化は図れるものの、次のような問題があった。すなわち、顧客管理サーバからダウンロードした個人情報が携帯情報端末の記憶領域（フラッシュメモリなど）に残存する可能性がある。勿論、契約行為が完了後、当該個人情報を強制的に消去する処理を実行することもできるが、ユーザは、自身の個人情報が確実に消去されたか不安を抱えるおそれがある。また、個人情報の保護の観点からも契約完了後には、個人情報が他に利用できないようにすることが望ましい。
【０００６】
そこで、本発明は、このような状況に鑑みてなされたものであり、各種の契約行為におけるペーパーレス化を図りつつ、取得した個人情報を確実に保護できる携帯情報端末の提供を目的とする。
【課題を解決するための手段】
【０００７】
本発明に係る携帯情報端末（携帯情報端末１００）は、通信ネットワークを介してサーバ（サーバ２０）から画像データを取得する画像データ取得部（通信部１６０）と、少なくとも一方が透明な一対の電極部（表面電極４ａ，裏面電極４ｂ）の間に封入され、電界が与えられることによって何れかの電極に向けて移動する表示媒体（白色表示媒体９０Ｗ，黒色表示媒体９０Ｂ）を用いた情報表示部（電子ペーパーモジュール１１０）と、前記一対の電極部に印加される電圧を制御し、前記画像データ取得部によって取得された前記画像データに基づく画像を前記情報表示部に表示させる表示制御部（ＣＰＵ１４０）と、情報入力部（ペン／タッチ入力取得部１３０）を介して個人情報を取得する個人情報取得部（ＣＰＵ１４０）とを備える。前記表示制御部は、前記個人情報取得部によって取得された前記個人情報と前記画像とを合わせた合成画像を前記情報表示部に表示させ、前記合成画像を前記情報表示部に表示させる電圧を一対の電極部に印加次第、前記個人情報を消去することを要旨とする。
【発明の効果】
【０００８】
本発明の特徴によれば、各種の契約行為におけるペーパーレス化を図りつつ、取得した個人情報を確実に保護できる携帯情報端末を提供することができる。
【図面の簡単な説明】
【０００９】
【図１】本発明の実施形態に係る携帯情報端末１００を含む契約システム１０の全体概略構成図である。
【図２】本発明の実施形態に係る携帯情報端末１００の機能ブロック図である。
【図３】本発明の実施形態に係るサーバ２０の機能ブロック図である。
【図４】本発明の実施形態に係る電子ペーパーモジュール１１０の断面図である。
【図５】本発明の実施形態に係る携帯情報端末１００の動作を説明するシーケンス図である。
【図６】ステップＳ３０の処理において電子ペーパーモジュール１１０に表示される画像の一例を示す図である。
【図７】ステップＳ７０の処理において電子ペーパーモジュール１１０に表示される画像の一例を示す図である。
【図８】ステップＳ８５の処理において電子ペーパーモジュール１１０に表示される画像の一例を示す図である。
【発明を実施するための形態】
【００１０】
次に、本発明に係る携帯情報端末の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）携帯情報端末を含む契約システムの全体概略構成
図１は、本実施形態に係る携帯情報端末１００を含む契約システム１０の全体概略構成図である。契約システム１０は、サーバ２０及び携帯情報端末１００とによって構成される。契約システム１０は、銀行や保険会社における各種商品（サービス）の契約、または自動車や不動産などの売買契約などにおいて用いられる。契約システム１０は、一連の契約行為（商品・サービスの説明から契約書への必要事項の記入）において、原則としてペーパーレス化を実現する。
【００１３】
販売員５０は、携帯情報端末１００を用いて、サーバ２０から商品の情報や契約書のフォーマットを取得するとともに、契約者６０と商品などの契約を成立させる。
【００１４】
サーバ２０は、商品のデータベースや契約のデータベースによって構成される。携帯情報端末１００は、アクセスポイント３０を介して契約システム１０にアクセスすることができる。
【００１５】
アクセスポイント３０は、所定の無線通信方式（例えば、Bluetoothや無線LAN）に従った無線中継局である。アクセスポイント３０が設けられることによって、携帯情報端末１００〜アクセスポイント３０〜サーバ２０との間には、画像データなどを送受信可能な通信ネットワークが形成される。
【００１６】
携帯情報端末１００は、アクセスポイント３０との無線通信機能を搭載した携帯型の電子ペーパー端末である。携帯情報端末１００では、画像の表示に電気的に駆動可能な粒子などの表示媒体、具体的には、白色と黒色の電子粉流体（登録商標）などの帯電性粒子を含んだ複数の粒子群が用いられる。携帯情報端末１００の画面サイズは、特に限定されないが、本実施形態では、６インチ〜１５インチ程度であるものとして以下説明する。
【００１７】
（２）契約システムの機能ブロック構成
図２は、携帯情報端末１００の機能ブロック図である。図２に示すように、携帯情報端末１００は、電子ペーパーモジュール１１０、スピーカー１２０、ペン／タッチ入力取得部１３０、ＣＰＵ１４０、フラッシュメモリ１５１、ＲＡＭ１５２、通信部１６０、バッテリー１７０及び電源スイッチ１７１を備える。
【００１８】
電子ペーパーモジュール１１０は、上述したように電子粉流体（登録商標）を用いた表示媒体移動型の画像表示パネルである。電子ペーパーモジュール１１０は、少なくとも一方が透明な一対の電極部を有する。表示媒体は、一対の電極部間に封入され、電界が与えられることによって何れかの電極に向けて移動する。本実施形態において、電子ペーパーモジュール１１０は、情報表示部を構成する。なお、電子ペーパーモジュール１１０のさらに具体的な構成については、後述する。
【００１９】
スピーカー１２０は、ＣＰＵ１４０による制御に基づいて音声などの可聴音を出力する。特に、本実施形態では、スピーカー１２０は、ＣＰＵ１４０による制御に基づいて契約書の内容などを読み上げる音声を出力することができる。
【００２０】
ペン／タッチ入力取得部１３０は、情報入力用のペン１３１によって電子ペーパーモジュール１１０の画面の特定位置が選択されたことを電子ペーパーモジュール１１０の裏面又は全面に配置された位置検出器６によって検出する。また、ペン／タッチ入力取得部１３０は、情報入力用のペン１３１によって電子ペーパーモジュール１１０の画面（情報表示面）の特定位置が選択されたときに、選択された位置の座標を所定周期（例えば、数十ミリ秒）で位置検出器６によって取得する。本実施形態において、ペン／タッチ入力取得部１３０は、情報入力部を構成する。なお、ペン／タッチ入力取得部１３０は、電磁誘導方式に限定されず、抵抗膜方式、静電容量方式等を適用してもよい。また、位置検出器６の設置位置についても、電子ペーパーモジュール１１０の表示面側または裏面側の何れであってもよい。
【００２１】
ＣＰＵ１４０は、電子ペーパーモジュール１１０に表示される画像や、スピーカー１２０から出力される可聴音を制御する。具体的には、ＣＰＵ１４０は、電子ペーパーモジュール１１０を構成する一対の電極部に印加される電圧を制御し、通信部１６０によってサーバ２０から取得された画像データに基づく画像を電子ペーパーモジュール１１０に表示させる。本実施形態において、ＣＰＵ１４０は、表示制御部を構成する。
【００２２】
また、ＣＰＵ１４０は、ペン／タッチ入力取得部１３０を介して、契約者６０の個人情報を取得する。本実施形態において、ＣＰＵ１４０は、個人情報取得部を構成する。具体的には、ＣＰＵ１４０は、契約者６０の個人情報として、氏名、年齢、住所、生年月日、家族構成及び年収などを取得することができる。
【００２３】
ＣＰＵ１４０は、取得した個人情報と、契約書の内容を含む画像とを合わせた合成画像Ｐ３（図８参照）を電子ペーパーモジュール１１０に表示させることができる。ＣＰＵ１４０は、合成画像Ｐ３を電子ペーパーモジュール１１０に表示させる電圧を一対の電極部に印加次第、取得した個人情報を消去することができる。なお、「電圧を一対の電極部に印加次第、取得した個人情報を消去する」には、当該電圧を印加すると同時にＲＡＭ１５２に記憶されている個人情報を消去すること、及び当該電圧を印加から多少の時間的な遅れ（１秒〜数十秒程度）を伴って当該個人情報を消去することを含むものとする。
【００２４】
さらに、ＣＰＵ１４０は、通信ネットワークを介して取得した個人情報をサーバ２０に送信し、当該個人情報のサーバ２０への送信が完了次第、当該個人情報を消去することもできる。具体的には、ＣＰＵ１４０は、取得した個人情報をＲＡＭ１５２（揮発性メモリ）に記憶させ、フラッシュメモリ１５１には記憶させない。ＣＰＵ１４０は、ＲＡＭ１５２に記憶された個人情報を消去する。また、ＣＰＵ１４０は、ＲＡＭ１５２に記憶された画像データを当該個人情報とともに消去することもできる。
【００２５】
ＣＰＵ１４０は、契約書の内容を含む画像が表示された電子ペーパーモジュール１１０の画面上の所定領域において、ペン／タッチ入力取得部１３０を用いて記載された情報を取得することもできる。具体的には、ＣＰＵ１４０は、当該所定領域に記載された契約者６０の署名を取得する。本実施形態において、ＣＰＵ１４０は、入力情報取得部を構成する。
【００２６】
ＣＰＵ１４０は、取得した署名と、契約書の内容を含む画像とを合わせた合成画像Ｐ３（図８参照）を電子ペーパーモジュール１１０に表示させることができる。さらに、ＣＰＵ１４０は、合成画像Ｐ３を所定の画像フォーマット（例えば、JPEG、GIFまたはPDF）で表示装置（例えば、ＰＣ用ディスプレイ）に表示させる合成画像データをサーバ２０に送信する。また、ＣＰＵ１４０は、当該合成画像データがサーバ２０に送信された場合、ＲＡＭ１５２に記憶された当該フォーマットの合成画像データを消去することもできる。
【００２７】
フラッシュメモリ１５１は、バッテリー１７０から供給される電源を電源スイッチ１７１によって切ってもデータが消えない不揮発性メモリである。ＲＡＭ１５２は、バッテリー１７０から供給される電源が切れるとデータが消える揮発性メモリである。フラッシュメモリ１５１には、商品の説明資料などが記憶される。一方、ＲＡＭ１５２には、上述したように、個人情報及び合成画像データが記憶される。
【００２８】
通信部１６０は、アクセスポイント３０と無線通信を実行する。また、通信部１６０は、サーバ２０と所定の通信プロトコル（TCP/IPなど）に従った通信を実行する。具体的には、通信部１６０は、ＣＰＵ１４０からの制御に基づいて、通信ネットワークを介してサーバ２０から画像データを取得する。本実施形態において、通信部１６０は、画像データ取得部を構成する。なお、画像データには、商品の説明資料及び契約書の画像データが含まれる。
【００２９】
バッテリー１７０は、携帯情報端末１００を構成する各機能ブロックの動作に必要となる電源を供給する。電源スイッチ１７１は、携帯情報端末１００Ｊへの電源の供給・切断を切り替える。なお、電子ペーパーモジュール１１０では、一対の電極部に電圧が印加されることによって、表示媒体が何れかの電極に移動した後は、電源の供給を切断しても、表示媒体の位置に変化はなく、表示されている画像が維持される。
【００３０】
図３は、サーバ２０の機能ブロック図である。図３に示すように、サーバ２０は、通信部２１、ＣＰＵ２３、商品データベース２５及び契約データベース２７を備える。
【００３１】
通信部２１は、携帯情報端末１００と所定の通信プロトコル（TCP/IPなど）に従った通信を実行する。
【００３２】
ＣＰＵ２３は、通信部２１の動作を制御する。具体的には、ＣＰＵ２３は、携帯情報端末１００からの要求に基づいて、商品データベース２５に含まれる情報（画像データなど）を、通信部２１を介して携帯情報端末１００に送信させる。また、ＣＰＵ２３は、携帯情報端末１００から送信された合成画像データを契約データベース２７に登録する。
【００３３】
商品データベース２５には、商品の説明資料や契約書のフォーマットなどが登録される。契約データベース２７には、契約者の個人情報や、署名や個人情報と契約書とが合成画像データなどが登録される。
【００３４】
（３）電子ペーパーモジュールの構造
図４（ａ）及び（ｂ）は、電子ペーパーモジュール１１０の断面図である。具体的には、図４（ａ）は、白色表示媒体９Ｗが情報表示面側（図中の「目」のマークを参照）に位置している状態を示し、図４（ｂ）は、黒色表示媒体９Ｂが情報表示面側に位置している状態を示す。
【００３５】
図４（ａ）及び（ｂ）に示すように、電子ペーパーモジュール１１０は、表面基板２ａ、裏面基板２ｂ、表面電極４ａ、裏面電極４ｂ及び隔壁５を有する。
【００３６】
一対の表面基板２ａ及び裏面基板２ｂのうち、表面基板２ａは、情報表示面側に形成される。表面基板２ａは透明な基板である。表面基板２ａは、可視光の透過率が高く、かつ耐熱性のよいものが好ましい。裏面基板２ｂは、表面基板２ａと対向する。本実施形態では、裏面基板２ｂも透明な基板である。なお、裏面基板２ｂは必ずしも透明でなくてもよく、一方の基板（表面基板２ａ）が透明であればよい。
【００３７】
表面基板２ａ及び裏面基板２ｂは、一対の電極部（表面電極４ａ，裏面電極４ｂ）に対応して設けられる。具体的には、表面基板２ａ及び裏面基板２ｂは、表面電極４ａ，裏面電極４ｂよりも外側にそれぞれ設けられる。
【００３８】
表面電極４ａは、表面基板２ａ側に形成される透明な電極である。表面電極４ａは、表面基板２ａの内側に形成されている。裏面電極４ｂは、裏面基板２ｂ側に形成される電極である。裏面電極４ｂは裏面基板２ｂの内側に形成されている。表面電極４ａ及び裏面電極４ｂは、細長い帯状の電極であり、互いに直交するように配設、つまり、マトリックス状に配設されており、電子ペーパーモジュール１１０では、パッシブマトリックス駆動方式が用いられる。
【００３９】
具体的には、表面電極４ａは、電子ペーパーモジュール１１０の長さ方向（縦方向）に沿って複数配設される。一方、裏面電極４ｂは、電子ペーパーモジュール１１０の幅方向に沿って複数配設される。本実施形態において、表面電極４ａは、所定方向に配設された第１電極を構成し、裏面電極４ｂは、所定方向と直交する方向に配設された第２電極を構成する。表面電極４ａと裏面電極４ｂとが交差するそれぞれの部分が、画素に対応する。
【００４０】
隔壁５は、表面基板２ａと裏面基板２ｂとの間に形成される。隔壁５は、白色表示媒体９Ｗ及び黒色表示媒体９Ｂが封入される空間Ｓを仕切る。隔壁５は、表面基板２ａと裏面基板２ｂとの間の空間を確保するために設けられる。空間Ｓには、白色表示媒体９Ｗ及び黒色表示媒体９Ｂの他に、気体（例えば、空気）が封入されている。なお、空間Ｓは真空にしてもよい。隔壁５は、表面基板２ａ側からの視点において格子状に形成される。格子状とは、所定の空間が形成されるように、周期的に配置されていればよい。
【００４１】
なお、上述した表面基板２ａ、裏面基板２ｂ、表面電極４ａ、裏面電極４ｂ及び隔壁５としては、例えば特開２００８−５８５０９号公報などに記載されている材料や寸法を適宜用いることができる。
【００４２】
また、電子ペーパーモジュール１１０は、位置検出器６、有色層７及び散乱層８を有する。位置検出器６は、有色層７の下方に設けられる。位置検出器６は、情報入力用のペン１３１（図１参照）によって情報表示面側から選択されたこをと検出する。
【００４３】
有色層７は、裏面基板２ｂの外側に形成される。裏面基板２ｂの外側とは、表面基板２ａ側とは反対側をいう。有色層７は、裏面基板２ｂの外側の表面上に形成されている。なお、有色層７は、表面基板２ａ側からの視点において、隔壁５と対応する部分に形成されていてもよい。有色層７は、例えば、顔料が配合されたＰＥＴフィルムで構成される。
【００４４】
散乱層８は、表面基板２ａの外側に形成されている。表面基板２ａの外側とは、裏面基板２ｂ側とは反対側をいう。散乱層８は、表面基板２ａ上に形成されている。散乱層８は、光を散乱する。散乱層８は、光を散乱すれば、散乱方法は問わない。例えば、散乱層８の表面に凹凸を有することにより、光を散乱させる。
【００４５】
白色表示媒体９Ｗ及び黒色表示媒体９Ｂは、表面電極４ａと裏面電極４ｂとの間に封入される。例えば、負帯電性白色粒子を含んだ白色粒子群である白色表示媒体９Ｗ、及び正帯電性黒色粒子を含んだ黒色粒子群である黒色表示媒体９Ｂは、表面電極４ａ及び裏面電極４ｂを介して電界が与えられることによって何れかの電極に向けて移動する。つまり、白色表示媒体９Ｗ及び黒色表示媒体９Ｂは、それぞれ異なる帯電性を有し、電気的に駆動可能である。具体的には、表面電極４ａと裏面電極４ｂとに電圧を印加することによって、白色表示媒体９Ｗ及び黒色表示媒体９Ｂは、何れかの電極に向けて移動する。
【００４６】
本実施形態では、表面電極４ａに正の電圧を印加すると、白色表示媒体９Ｗが表面電極４ａ側に移動し、黒色表示媒体９Ｂが裏面電極４ｂ側に移動する。一方、表面電極４ａに負の電圧を印加すると、黒色表示媒体９Ｂが表面電極４ａ側に移動し、白色表示媒体９Ｗが裏面電極４ｂ側に移動する。
【００４７】
本実施形態では、白色表示媒体９Ｗは、以下に示す製法や材料によって製造される。まず、ポリメチルペンテンポリマー（TPX-R18；三井化学社製）１００重量部と、着色剤として二酸化チタン（タイペークCR-90：石原産業社製）１００重量部と、負帯電の荷電制御剤としてフェノール系縮合物（ボントロンＥ８９：オリエント化学製）５重量部とを２軸混練機により溶融混練する。得られた溶融混練物をジェットミル（ラボジェットミルIDS-LJ型：日本ニューマチック（株）製）で細かく粉砕する。この粉砕物を分級機（MDS-2：日本ニュ−マチック工業）を用いて分級し、溶融球状化装置（MR-10：日本ニュ−マチック工業）を用いて溶融球状化して、負帯電性の白色粒子群（白色表示媒体９Ｗ）を得ることができる。
【００４８】
また、黒色表示媒体９Ｂは、以下に示す製法や材料によって製造される。まず、メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させる。分散させた液に、（アクリル系及びメタクリル系）樹脂−炭化水素系樹脂ブロックコポリマー（モディパーＦ６００：日本油脂製）５重量部を溶解させる。その後、さらに２重量部のラウリルパーオキサイド（パーロイルＬ：日本油脂製）を溶解させる。その液を、界面活性剤（ポリオキシエチレンアルキルエーテル硫酸ナトリウム（ラテムルＥ−１１８Ｂ：花王製））を０．５％添加した精製水に懸濁させる。懸濁液をろ過し、得られた粒子を乾燥させる。得られた乾燥物をジェットミル（ラボジェットミルIDS-LJ型：日本ニューマチック（株）製）で細かく粉砕する。この粉砕物を分級機（MDS-2：日本ニュ−マチック工業）を用いて分級することによって、黒色粒子群（黒色表示媒体９Ｂ）を得ることができる。
【００４９】
（４）携帯情報端末の動作
次に、携帯情報端末１００の動作について説明する。具体的には、携帯情報端末１００による契約書の表示から、取得した個人情報などの消去までの動作について説明する。
【００５０】
図５は、携帯情報端末１００の動作を説明するシーケンス図である。図５に示すように、ステップＳ１０において、携帯情報端末１００は、契約書のダウンロードをサーバ２０に要求する。なお、ステップＳ１０の処理は、販売員５０が携帯情報端末１００において契約書の取得要求を選択することによって実行される。なお、ダウンロードすべき契約書は、携帯情報端末１００に表示されている複数の候補の中から販売員５０が選択できる。
【００５１】
ステップＳ２０において、サーバ２０は、受信した契約書のダウンロード要求に基づいて、契約書の画像データを携帯情報端末１００に送信する。
【００５２】
ステップＳ３０において、携帯情報端末１００は、ダウンロードした契約書の画像データに基づいて、契約書の内容を表示する。図６は、ステップＳ３０の処理において電子ペーパーモジュール１１０に表示される画像の一例を示す。図６に示すように、電子ペーパーモジュール１１０は、契約書の内容を含む画像Ｐ１を表示する。
【００５３】
なお、携帯情報端末１００は、音声出力ボタンＢ１が表示されている領域に接触されると、契約書の内容を読み上げる音声を出力する。また、携帯情報端末１００は、電子ペーパーモジュール１１０に契約書以外の関連する情報、例えば、商品の説明資料やカタログなどを合わせて表示してもよい。
【００５４】
契約者６０は、ステップＳ３０の処理において電子ペーパーモジュール１１０に表示された画像に基づいて契約内容を確認する。
【００５５】
ステップＳ４０において、携帯情報端末１００は、当該契約に付随するオプション情報のダウンロードをサーバ２０に要求する。
【００５６】
ステップＳ５０において、サーバ２０は、受信したオプション情報のダウンロード要求に基づいて、オプション情報の画像データを携帯情報端末１００に送信する。
【００５７】
ステップＳ６０において、携帯情報端末１００は、ダウンロードしたオプション情報の画像データに基づいて、オプション情報の内容を表示する。
【００５８】
ステップＳ７０において、携帯情報端末１００は、契約内容の入力フォームを表示する。なお、オプション情報の内容表示から入力フォームへの切り替えは、販売員５０の携帯情報端末１００に対する操作によって行われる。図６は、ステップＳ７０の処理において電子ペーパーモジュール１１０に表示される画像の一例を示す。図７に示すように、電子ペーパーモジュール１１０は、契約書の入力フォームを含む画像Ｐ２を表示する。
【００５９】
契約者６０は、ステップＳ７０の処理において電子ペーパーモジュール１１０に表示された画像に基づいて、個人情報などの必要な事項や署名を携帯情報端末１００に入力する。なお、契約者６０は、画像Ｐ２の領域Ａ１にペン１３１を用いて署名する。
【００６０】
ステップＳ８０において、携帯情報端末１００は、契約者６０が入力した契約内容を取得する。具体的には、携帯情報端末１００は、氏名や住所などの個人情報、及び契約者６０の自筆による署名を取得する。
【００６１】
ステップＳ８５において、携帯情報端末１００は、契約者６０によって入力された個人情報、署名及び契約書の内容を表示する。図８は、ステップＳ８５の処理において電子ペーパーモジュール１１０に表示される画像の一例を示す。図８に示すように、電子ペーパーモジュール１１０は、個人情報、署名Ｓ１及び契約書の内容を含む画像を合わせた合成画像Ｐ３を表示する。
【００６２】
契約者６０は、必要に応じて合成画像Ｐ３のコピーを取得する。具体的には、契約者６０は、電子ペーパーモジュール１１０の画面を通常のコピー機でコピーすることによって、「契約書の控え」を確保できる。
【００６３】
ステップＳ９０において、携帯情報端末１００は、個人情報及び署名を含む契約書をサーバ２０に送信する。具体的には、携帯情報端末１００は、合成画像Ｐ３を所定の画像フォーマット（例えば、JPEG、GIFまたはPDF）に変換した合成画像データをサーバ２０に送信する。
【００６４】
ステップＳ１００において、サーバ２０は、携帯情報端末１００から送信された契約書（合成画像データ）を契約データベース２７に登録する。また、サーバ２０は、当該契約書を登録したことを携帯情報端末１００に通知する。
【００６５】
ステップＳ１１０において、携帯情報端末１００は、サーバ２０の当該通知に基づいて、ＲＡＭ１５２に記憶されている個人情報及び合成画像データを消去する。なお、ＲＡＭ１５２に記憶されている個人情報及び合成画像データの消去は、ステップＳ８５における処理と同時に実行してもよい。
【００６６】
（５）作用・効果
携帯情報端末１００によれば、合成画像Ｐ３を電子ペーパーモジュール１１０に表示させる電圧を一対の電極部に印加次第、取得した個人情報を消去する。このため、携帯情報端末１００には、個人情報が残存することがない。また、一旦電子ペーパーモジュール１１０に合成画像Ｐ３を表示させてしまえば、その後に個人情報を消去したり、携帯情報端末１００の電源を切断したりしても、電子ペーパーモジュール１１０に表示される画像には、何ら影響を及ぼさない。このような特徴は、常時電源を必要とする液晶ディスプレイなどでは不可能である。つまり、携帯情報端末１００によれば、各種の契約行為におけるペーパーレス化を図りつつ、取得した個人情報を確実に保護できる。
【００６７】
また、携帯情報端末１００によれば、契約者６０の署名と契約書の内容を含む画像とを合わせた合成画像Ｐ３が電子ペーパーモジュール１１０に表示される。このため、契約者６０は、電子ペーパーモジュール１１０の画面を通常のコピー機でコピーすることによって、「契約書の控え」を確保できる。このような特徴は、バックライトを必要とする液晶ディスプレイなどでは不可能である。つまり、携帯情報端末１００によれば、契約者６０は、契約時に契約内容のハードコピーを取得できるため、各種の契約行為におけるペーパーレス化を図りつつ、契約内容の改ざんを防止できる。
【００６８】
また、本実施形態では、個人情報のサーバ２０への送信が完了次第、当該個人情報を消去することもできる。このため、高いセキュリティを維持することが比較的容易なサーバ２０において確実に契約者６０の個人情報を取得しつつ、個人情報の漏洩などを確実に防止し得る。
【００６９】
さらに、個人情報及び合成画像Ｐ３に対応する合成画像データは、フラッシュメモリ１５１には一切記憶されず、ＲＡＭ１５２に記憶されるため、携帯情報端末１００の電源切断によって、個人情報及び合成画像データを確実に消去できる。このため、個人情報の漏洩や契約内容の改ざんをさらに確実に防止し得る。
【００７０】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７１】
例えば、上述した実施形態では、契約書のダウンロードを要求するサーバと、合成画像Ｐ３に対応する合成画像データを送信するサーバとが同一であったが、両サーバは、必ずしも同一でなくてもよい。或いは、一方のサーバの機能を携帯電話端末に具備するようにしていもよい。
【００７２】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７３】
２ａ…表面基板
２ｂ…裏面基板
４ａ…表面電極
４ｂ…裏面電極
５…隔壁
６…感圧パネル
５０…販売員
６０…契約者
７…有色層
８…散乱層
９Ｂ…黒色表示媒体
９Ｗ…白色表示媒体
１０…契約システム
２０…サーバ
２１…通信部
２３…ＣＰＵ
２５…商品データベース
２７…契約データベース
３０…アクセスポイント
１００…携帯情報端末
１１０…電子ペーパーモジュール
１２０…スピーカー
１３０…ペン／タッチ入力取得部
１３１…ペン
１４０…ＣＰＵ
１５１…フラッシュメモリ
１５２…ＲＡＭ
１６０…通信部
１７０…バッテリー
１７１…電源スイッチ
【図１】
2011209777.tif 000003
【図２】
2011209777.tif 000004
【図３】
2011209777.tif 000005
【図４】
2011209777.tif 000006
【図５】
2011209777.tif 000007
【図６】
2011209777.tif 000008
【図７】
2011209777.tif 000009
【図８】
2011209777.tif 000010